(57)【要約】      （修正有）【課題】多数の各種カード類を纏めて収納保持でき、その格納、取り出しを容易にすると共に、収納したカード類の検索も簡単であり、重ね合わせた状態のカード類の格納によっても複数のカード類の合計厚さに比し大きく異ならずにコンパクトに纏めさせるカードケース構造を提供する。【解決手段】相対峙した側片３によってカード類Ｃを挟み込み状態で収納保持して二つ折りする開閉自在なカード収納部２と、このカード収納部２の開口部における側片３相互間で拡開開放したカード収納部２を側面から見てＶ状に拡開規制させて掛け渡してあって、カード収納部２の二つ折りに伴いカード収納部２の奥底部がわに折り込むカード支持部４と、このカード支持部４に配列形成したカード挿入スリット５とを備える。カード収納部２の深さは、カード類Ｃの長辺長さに比し小さくはなく、カード挿入スリット５は、カード類Ｃの短辺長さにほぼ対応した切込長さに形成する。【選択図】図１
0003205253.tif 000002
【実用新案登録請求の範囲】
【請求項１】
相対峙されている側片によってカード類を挟み込み状態で収納保持して二つ折りされる開閉自在なカード収納部と、このカード収納部の開口部における側片相互間で拡開開放したカード収納部を側面から見てＶ状に拡開規制させて掛け渡されていて、カード収納部の二つ折りに伴いカード収納部の奥底部がわに折り込まれるカード支持部と、このカード支持部に配列形成したカード挿入スリットとを備えて成ることを特徴とするカードケース構造。
【請求項２】
カード収納部は、二つ折りされた状態における深さがカード類の長辺方向に沿う長辺長さに比し小さくはないものとしてある請求項１に記載のカードケース構造。
【請求項３】
カード支持部は、カード収納部の開口部を閉塞しているようにカード収納部の開口部に掛け渡されていて、カード収納部の幅員とほぼ同様な幅員を有し、カード支持部の端部における両側縁はカード収納部の側片における開口部の両側縁に接合されている請求項１または２に記載のカードケース構造。
【請求項４】
カード挿入スリットは、カード類の短辺長さにほぼ対応した切込長さに形成され、カード収納部の奥底部に至るように収納したカード類の端部がカード支持部の上方で少なくとも摘まむことが可能な程度の幅員で外出している請求項１乃至３のいずれかに記載のカードケース構造。
【考案の詳細な説明】
【技術分野】
【０００１】
この考案は、クレジットカード、キャッシュカードその他のカード類を多数で纏めて収納でき、また、その検索、取り出しが容易で、しかもコンパクトに収納保持できるカードケース構造に関する。
【背景技術】
【０００２】
近時、いわゆるカード社会の到来と共にクレジットカード、キャッシュカードさらにはポイントカード、会員カード等の各種のカード類が発行され、また社会・経済活動等の活発化に伴い、個人として所有し、また常時携帯するこれらのカード類の数も飛躍的に多くなっている。こうしたカード類は、カード類のみを収納保持するよう構成されたカードケースや、財布に構成されたカード収納ポケット等が使用されることで、纏めて収納した状態で携帯されることが多い。
【０００３】
このような多数のカード類を収納携帯するためのカードケース態様として例えば特許文献１にあるような財布、特許文献２にあるようなカードケースが提案されている。特許文献１の財布におけるカードホルダは、上方からカードを差込み得る段状に配列した複数のスリット毎にカード収納用のポケットが重ねられた状態で設けられている。特許文献２のカード収容部は、複数のカード収容口の背面側で多層状に配置形成されていて、スライド引き出しさせる操作手段の操作に追随して一体的に作動して、カード収容部に収容保持された各々のカードが一覧的に引き出されるようにしている。
【先行技術文献】
【特許文献】
【０００４】
【特許文献１】特開２００１−２３８７１４号公報
【特許文献２】特開２００２−２３８６２８号公報
【考案の概要】
【考案が解決しようとする課題】
【０００５】
ところが特許文献１に示されたカードホルダは、重ねられたポケットそれぞれにカードを出し入れさせるスリットが段状に配列されているから、収納カードの数が多くなってポケット毎に複数のカードを収納させると、カードを一覧的に見ることが困難であるばかりでなく、カードの出し入れも面倒である。特許文献２に示されたカード収容部は、カード収容口の背面側でスライド自在に配置構成されなければならず、また、このスライド部材にカードを保持するカード保持体を多層段状に配列する複雑な構造となり、繰り返されるスライド操作によっては損傷されることもある。
【０００６】
そこでこの考案は上述したような従来存した諸事情に鑑み案出されたもので、各種の多数のカード類を纏めて収納保持できるのはもとより、その格納、取り出しを容易にすると共に、収納した各種のカード類の検索も簡単で、重ね合わせた状態での格納も複数のカード類の合計厚さに比し大きく異なることなくコンパクトに纏めることができるようにしたカードケース構造を提供することにある。
【課題を解決するための手段】
【０００７】
上述した課題を解決するため、この考案にあっては、後述する考案を実施するための形態における使用符号を付記して説明すると、相対峙されている側片３によってカード類Ｃを挟み込み状態で収納保持して二つ折りされる開閉自在なカード収納部２と、このカード収納部２の開口部における側片３相互間で拡開開放したカード収納部２を側面から見てＶ状に拡開規制させて掛け渡されていて、カード収納部２の二つ折りに伴いカード収納部２の奥底部がわに折り込まれるカード支持部４と、このカード支持部４に配列形成したカード挿入スリット５とを備えて成ることを特徴とする。
カード収納部２は、二つ折りされた状態における深さがカード類Ｃの長辺方向に沿う長辺長さに比し小さくはないものとして構成することができる。
カード支持部４は、カード収納部２の開口部を閉塞しているようにカード収納部２の開口部に掛け渡されていて、カード収納部２の幅員とほぼ同様な幅員を有し、カード支持部４の端部における両側縁はカード収納部２の側片３における開口部の両側縁に接合されることで構成することができる。
カード挿入スリット５は、カード類Ｃの短辺長さにほぼ対応した切込長さに形成され、カード収納部２の奥底部に至るように収納したカード類Ｃの端部がカード支持部４の上方で少なくとも摘まむことが可能な程度の幅員で外出しているようにして構成することができる。
【０００８】
以上のように構成されたこの考案に係るカードケース構造にあって、二つ折りされているカード収納部２は、このカード収納部２の開口部に掛け渡し状に設けられたカード支持部４のカード挿入スリット５を経て刺し込まれた各種のカード類Ｃを収納させ、またカード収納部２内ではカード類Ｃのみを重ね合わせていることで、収納時でもコンパクトな状態で多数のカード類Ｃを纏めさせる。
カード支持部４は、二つ折りされるカード収納部２における開口部を、カード収納部２をＶ状にした状態で拡開規制させ、拡開時におけるカード支持部４上で配列されているカード挿入スリット５によってカード類Ｃを出し入れさせ、収納したカード類Ｃを一覧的に展開させる。
カード類Ｃの長辺長さに比し小さくはない深さのカード収納部２、カード類Ｃの短辺長さに対応した切込長さのカード挿入スリット５によって、収納するカード類Ｃの端部による摘まみ操作と相俟ち、カード類Ｃをその長辺方向に沿ってカード収納部２に容易に出し入れさせ、脱落させることなく安定した状態で収納させる。
【考案の効果】
【０００９】
この考案は以上説明したように構成されているため、クレジットカード、ポイントカードその他の各種の多数のカード類Ｃを纏めてカード収納部２に収納保持できるのはもとより、拡開させたカード支持部４における配列されたカード挿入スリット５によって多数のカード類Ｃであってもそれらの格納、取り出しが容易である。また、収納した各種のカード類Ｃは拡開させたカード支持部４上で一覧的に展開されていることでその検索も簡単であると共に、カード収納部２内では収納した複数のカード類Ｃそれぞれにおける肉厚の合計厚さに比し大きく異ならないから、全体としてコンパクトに纏めることができ、収納保管、携帯にも便利である。
【００１０】
すなわちこれはこの考案において、相対峙した側片３によってカード類Ｃを挟み込み収納保持する開閉自在なカード収納部２と、カード収納部２の開口部における側片３相互間でカード収納部２をＶ状に拡開規制させて掛け渡され、カード収納部２の奥底部がわに折り込まれるカード支持部４と、このカード支持部４に配列形成したカード挿入スリット５とを備えて成るからである。これによって、多数の各種のカード類Ｃを纏めた収納保持、一覧的に展開しての検索容易性、拡開展開して配列されている刺し込み式によるカード類Ｃの出し入れ等を可能にする。
【００１１】
また、カード収納部２は、二つ折り状態における深さをカード類Ｃの長辺長さに比し小さくはないものとすることで、カード挿入スリット５の切込長さがカード類Ｃの短辺長さに対応していることと相俟ち、カード収納部２に収納させるカード類Ｃを長手方向に沿って出し入れさせることができ、収納時での安定性にも寄与する。
【００１２】
カード収納部２に収納したカード類Ｃにおいて、カード収納部２の奥底部に至った収納状態でカード類Ｃの端部がカード支持部４の上方で少なくとも摘まむことが可能な程度の幅員で外出しているようにすることで、拡開展開したカード支持部４上では、多数で配列されているカード挿入スリット５によってカード類Ｃそれぞれが一覧的に展開され、その検索、さらにはカード挿入スリット５を経てのカード類Ｃの出し入れ操作を容易に行うことができる。
【００１３】
カード支持部４は、カード収納部２の開口部を閉塞してカード収納部２の開口部に掛け渡されてカード収納部２の幅員とほぼ同様な幅員を有し、カード支持部４の端部における両側縁はカード収納部２の側片３における開口部の両側縁に接合されていることで、カード収納部２を拡開してもカード支持部４によってその拡開角度・範囲は一定範囲内に規制され、またカード支持部４がカード収納部２と離反せず、繰り返されるカード収納部２の開閉操作にも耐用性がある。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための一形態を示す拡開状態の斜視図である。
【図２】同じく拡開状態の側面図である。
【図３】同じく拡開状態の平面図である。
【図４】同じく折り畳んだ状態の側面図である。
【図５】同じく他の実施の形態における拡開状態の斜視図である。
【考案を実施するための形態】
【００１６】
以下、図面を参照してこの考案を実施するための一形態を説明すると、図において示される符号１はカードケース本体であり、図１乃至図４にあっては、紙幣等を折り畳むことなく収納できるように貨幣収納部８を設けた、いわゆる長財布式タイプの財布に設けた場合であり、図５にあっては収納した紙幣等を例えば二つ折りして折り畳んで収納できるようにした貨幣収納部８を設けた、いわゆる折畳式タイプの財布に設けた場合である。尚、図示を省略したが、紙幣、小銭等を収納できるようにした財布タイプとせずにカードケースのみとなる構成とすることも可能である。
【００１７】
このカードケース本体１は、相対峙されている側片３によってカード類Ｃを挟み込み状態で収納保持して二つ折りされる開閉自在なカード収納部２と、このカード収納部２の開口部における側片３相互間で、開放したカード収納部２を側面から見てＶ状に拡開規制させて掛け渡されていて、カード収納部２の二つ折りに伴いカード収納部２の奥底部がわに折り込まれるカード支持部４と、このカード支持部４に配列形成したカード挿入スリット５とを備えて成る。
【００１８】
カード収納部２は、二つ折りされた状態における深さ、すなわち側片３の高さはカード類Ｃの長辺方向に沿う長辺長さに比し小さくはないものとしてある。なお、カード類Ｃの収納は、図示のように長辺方向に沿ってカード挿入メリット５にて出し入れさせるものとしてあるも、場合によっては短辺方向に沿って出し入れさせるようにすることも可能であり、この場合のカード収納部２の深さはカード類Ｃの短辺長さに対応したものとなる（図示せず）。
【００１９】
なお、このカード収納部２の奥底部における両側縁部分は、相対峙している側片３相互を例えば縫合すること等で所定高さ位置までで接合されることで、カード収納部２自身の奥底部における閉塞状態によって収納したカード類Ｃの収納安定性を向上させている。
【００２０】
カード支持部４は、カード収納部２の開口部を閉塞しているようにカード収納部２の開口部に掛け渡されており、カード収納部２の幅員とほぼ同様な幅員となしてあって、図示のようにカード支持部４の端部における両側縁はカード収納部２の側片３における開口部の両側縁に例えば縫合によって接合されている。そしてカード収納部２の拡開時には、カード収納部２が二つ折りされたときにカード収納部２の内方に折り込まれていたカード支持部４の中央部分がカード収納部２の側片３から離反し、カード収納部２の拡開幅員を一定幅員として規制した状態で広げるようにしている。カード収納部２の拡がりとなる拡開角度は、カード収納部２自体を側面から見て例えば３０〜６０度として、望ましくはほぼ４５度程度としてあり、例えばカード収納部２における相対峙した側片３の内側面相互を当接させた状態でカード支持部４の裏面が側片３の内側面にも当接するようになっている。
【００２１】
カード挿入スリット５は、収納される各種のカード類Ｃを刺し込み状に挿入させるようカード類Ｃの幅員、例えば短辺長さあるいは長辺長さにほぼ対応した長さの切込によって形成されていて、図示のように切込の端部それぞれには切込の破断を防止するように例えば小円形状にした破断防止部６を形成してある。
【００２２】
図示におけるカード挿入スリット５は、収納するカード類Ｃの収納、取り出しが容易となるようカード類Ｃの長手方向に沿ってカード収納部２に出し入れできるように、切込長さはカード類Ｃの短辺長さにほぼ対応している。また、このカード挿入スリット５にてカード類Ｃを挿入し、カード収納部２の奥底部に至るようにカード類Ｃを収納したとき、カード支持部４の上方にカード類Ｃの端部が少なくとも例えば手指によってカード類Ｃを摘まむことが可能な程度の例えば１０〜２５ｍｍ程度の幅員で外出しているようにしてある。カード挿入スリット５は、カード支持部４に複数にして配列されており、図１に示すように例えばカード収納部２の幅員がカード類Ｃの短辺長さの適数倍である場合には、並列した複数列でさらには千鳥配列にすることもでき、図４に示すようにカード収納部２の幅員がカード類Ｃの幅員に比しやや大きい場合には単列配置とすることができ、いずれにしても、カード支持部４の幅員によって配列形態は適宜に選定される。
【００２３】
複数列にして配列されるカード挿入スリット５において、カード挿入スリット５相互の間隔は、収納したカード類Ｃが配列方向で一覧的に展開されるよう、例えば１０ｍｍ程度のものとしてあるもこれに限定されない。カード挿入スリット５の切込方向は、カード収納部２の開閉方向にほぼ直交している平行した配列とする場合に限らず、斜向配列としたり、交叉配列としたりすることも可能である。
【００２４】
また、カード支持部４における中央がわ位置でのカード収納部２の奥底部に至る間隔と、カード支持部４における端部がわ位置でのカード収納部２の奥底部に至る間隔とでは、前者に比し後者が長いから、端部がわ位置のカード挿入スリット５の上方外出部分長さに比し中央がわ位置のカード挿入スリット５の上方外出部分長さは大きくなる。そのため、カード支持部４におけるカード挿入スリット５のその端部がわでの配置は、カード収納部２に収納したカード類Ｃにおけるカード挿入スリット５の上方外出部分長さがある程度の長さで確保可能な位置とされる。
【００２５】
もとより、カード挿入スリット５は、カード類Ｃの長辺長さに対応した長さとすることも可能であるも、図示のように短辺長さにほぼ対応した長さとすることで、カード収納部２にカード類Ｃを収納したときの収納安定性、カード支持部４を拡げたときの収納した多数のカード類Ｃの表示一覧性等に好適である。
【００２６】
なお、カード支持部４における中央位置にカード挿入スリット５を配置することは可能であるも、ただ、中央位置のカード挿入スリット５の縁部では、カード収納部２の奥底部がわにカード支持部４が折り込まれるとき、逆方向であるカード収納部２の開口部がわに反り返り状に折り込まれることがあるために、カード支持部４の中央位置でのカード挿入スリット５の配置形成は好ましくはない。
【００２７】
また、図中符号７はカードケースにおけるカード収納部２の開口部を覆う被せ蓋であり、同じく符号８は財布における紙幣、小銭類を収納するよう、必要があれば開閉チャックが設けられる貨幣収納部である。
【００２８】
次に以上のように構成された実施の形態におけるこの考案の使用の一例を説明すると、開放された状態にあるカード収納部２の開口部を閉塞しているカード支持部４において、適宜に配列されているカード挿入スリット５に所定のカード類Ｃを挿入するのであり、挿入時にはカード収納部２の奥底部位置まで十分に刺し込んでおくのである。カード挿入スリット５に対するカード類Ｃの挿入は、カード挿入スリット５毎に１枚のカード類Ｃを挿入することも、複数枚で挿入することも可能である。そして、収納後では例えば被せ蓋７で覆い、携帯することとなる。
【００２９】
収納したカード類Ｃを取り出すには、開放したカード収納部２の開口部で拡げられるカード支持部４上で、カード挿入スリット５から外出されることで並列配置のカード類Ｃが一覧的に展開されている中から必要なカード類Ｃを選択し、取り出せば良いのである。
【符号の説明】
【００３０】
Ｃ…カード類
１…カードケース本体                    ２…カード収納部
３…側片                                ４…カード支持部
５…カード挿入スリット                  ６…破断防止部
７…被せ蓋                              ８…貨幣収納部
【図１】
0003205253.tif 000003
【図２】
0003205253.tif 000004
【図３】
0003205253.tif 000005
【図４】
0003205253.tif 000006
【図５】
0003205253.tif 000007